(57)【要約】  追記型光ディスク及び上記ディスク上に管理情報を記録する方法及び装置を提供する。本発明に係る光ディスクは、少なくとも一つの記録層を含み、少なくとも一つの記録層上に複数の一時欠陥管理領域（ＴＤＭＡｓ）を含む。複数のＴＤＭＡの少なくとも一つのＴＤＭＡ内には、複数のＴＤＭＡの中どのＴＤＭＡが現在使用中のＴＤＭＡであるかを示すインジケータを含む。
2007501487.tif 000002
【特許請求の範囲】
【請求項１】
少なくとも一つの記録層を有する記録媒体において、
ユーザデータを記録するデータ領域と、
リードイン領域及びリードアウト領域と、
複数の一時欠陥管理領域（ＴＤＭＡｓ）とを含み、
前記少なくとも一つのＴＤＭＡは、前記ＴＤＭＡの使用状態を識別するインジケータを含むことを特徴とする記録媒体。
【請求項２】
前記ＴＤＭＡの使用状態は、使用中の状態またはフル状態を含むことを特徴とする請求項１に記載の記録媒体。
【請求項３】
前記リードイン領域は、少なくとも最初のＴＤＭＡを含むことを特徴とする請求項１に記載の記録媒体。
【請求項４】
前記最初のＴＤＭＡは、先頭部分に前記インジケータを含むことを特徴とする請求項３に記載の記録媒体。
【請求項５】
前記ＴＤＭＡは、一時定義構造（ＴＤＤＳ）情報を含み、前記ＴＤＤＳ情報は、前記記録媒体のフォーマット及び状態を定義することを特徴とする請求項１に記載の記録媒体。
【請求項６】
前記インジケータは、使用中のＴＤＭＡ内の最新のＴＤＤＳ情報を少なくとも１回保存することを特徴とする請求項５に記載の記録媒体。
【請求項７】
前記最新のＴＤＤＳ情報は、使用中のＴＤＭＡの使用開始当時の最初のＴＤＤＳ情報であることを特徴とする請求項６に記載の記録媒体。
【請求項８】
前記インジケータは、ＴＤＤＳ位置情報を含み、前記ＴＤＤＳ位置情報は、使用中のＴＤＭＡ内に保存された最新のＴＤＤＳ情報の位置であることを特徴とする請求項５に記載の記録媒体。
【請求項９】
前記インジケータは、少なくとも一つのインジケータ単位を含み、それぞれのインジケータ単位は、複数のＴＤＭＡのうちの一つと対応することを特徴とする請求項１に記載の記録媒体。
【請求項１０】
前記複数のＴＤＭＡの一つと対応するそれぞれのインジケータ単位において、複数のＴＤＭＡのうち最初に用いられるＴＤＭＡは除かれることを特徴とする請求項９に記載の記録媒体。
【請求項１１】
それぞれのインジケータ単位は、クラスタであることを特徴とする請求項９に記載の記録媒体。
【請求項１２】
それぞれのインジケータ単位は、低いアドレス方向に順次用いられることを特徴とする請求項９に記載の記録媒体。
【請求項１３】
それぞれのインジケータ単位は、前記対応するＴＤＭＡが使用中のＴＤＭＡであるか否かを直接示すことを特徴とする請求項９に記載の記録媒体。
【請求項１４】
前記対応するＴＤＭＡが使用中であることを前記インジケータ単位が示す場合、前記対応するＴＤＭＡ内の最初のＴＤＤＳ情報を対応するインジケータ単位内に保存することを特徴とする請求項１３に記載の記録媒体。
【請求項１５】
前記最初のＴＤＤＳ情報は、対応するインジケータ単位内に３２回保存されることを特徴とする請求項１３に記載の記録媒体。
【請求項１６】
前記それぞれのインジケータ単位は、前記対応するＴＤＭＡがフルであるか否かを示すことを特徴とする請求項９に記載の記録媒体。
【請求項１７】
前記対応するＴＤＭＡがフルであることを前記インジケータ単位が示す場合、前記対応するＴＤＭＡ内の最終のＴＤＤＳ情報を前記対応するインジケータ単位内に保存することを特徴とする請求項１６に記載の記録媒体。
【請求項１８】
前記インジケータ単位の総数は、少なくとも一つの記録層内に存在するＴＤＭＡの総数に応じて決められることを特徴とする請求項９に記載の記録媒体。
【請求項１９】
前記記録媒体は、追記型単層光ディスクまたは追記型二層光ディスクであることを特徴とする請求項１に記載の記録媒体。
【請求項２０】
少なくとも一つの記録層と、
前記少なくとも一つの記録層上に備えられたリードイン領域、データ領域、及びリードアウト領域と、
リードイン領域内の別個のインジケータ領域と、
前記分離されたインジケータ領域内に保存され、記録媒体上の一時管理領域のどの領域が使用中であるかを識別するインジケータとを含むことを特徴とする追記型記録媒体。
【請求項２１】
前記分離されたインジケータ領域内に一時ディスク定義構造情報が保存されることを特徴とする請求項２０に記載の追記型記録媒体。
【請求項２２】
前記分離されたインジケータ領域は、低いアドレス方向に順次用いられることを特徴とする請求項２０に記載の追記型記録媒体。
【請求項２３】
少なくとも一つの記録層上に複数の一時欠陥管理領域（ＴＤＭＡs）を含む記録媒体上に管理情報を記録する方法であって、
前記ＴＤＭＡの少なくとも一つにインジケータを記録するステップを含み、前記インジケータは、どのＴＤＭＡが使用中であるかを指示することを特徴とする管理情報の記録方法。
【請求項２４】
前記記録するステップは、前記ＴＤＭＡのうち最初のＴＤＭＡ内にインジケータを記録し、前記最初のＴＤＭＡは、前記記録媒体のリードイン領域内に存在することを特徴とする請求項２３に記載の管理情報の記録方法。
【請求項２５】
前記インジケータは、前記最初のＴＤＭＡの先頭部分に位置することを特徴とする請求項２４に記載の管理情報の記録方法。
【請求項２６】
前記インジケータは、前記最初のＴＤＭＡの末端部に位置することを特徴とする請求項２４に記載の管理情報の記録方法。
【請求項２７】
前記インジケータ内に少なくとも１回一時ディスク定義構造（ＴＤＤＳ）情報を記録するステップをさらに含むことを特徴とする請求項２３に記載の管理情報の記録方法。
【請求項２８】
前記ＴＤＤＳ情報は、前記インジケータ内に３２回記録されることを特徴とする請求項２７に記載の管理情報の記録方法。
【請求項２９】
前記インジケータ内に少なくともＴＤＤＳ位置情報を記録するステップをさらに含み、前記ＴＤＤＳ位置情報は、前記ＴＤＭＡ内に保存された最新のＴＤＤＳ情報の位置を識別することを特徴とする請求項２３に記載の管理情報の記録方法。
【請求項３０】
前記記録ステップにおいて、前記インジケータは複数のインジケータ単位を含み、それぞれのインジケータ単位は前記複数のＴＤＭＡの一つと対応することを特徴とする請求項２３に記載の管理情報の記録方法。
【請求項３１】
前記記録ステップにおいて、前記それぞれのインジケータ単位はクラスタであることを特徴とする請求項３０に記載の管理情報の記録方法。
【請求項３２】
前記記録ステップにおいて、前記それぞれのインジケータ単位は、低いアドレス方向に順次用いられることを特徴とする請求項３０に記載の管理情報の記録方法。
【請求項３３】
前記記録ステップにおいて、前記それぞれのインジケータ単位は、前記対応するＴＤＭＡが使用中のＴＤＭＡであるか否かを直接示すことを特徴とする請求項３０に記載の管理情報の記録方法。
【請求項３４】
前記インジケータ単位ごとに、前記対応するＴＤＭＡが使用中であることを前記インジケータ単位が示す場合、前記対応するＴＤＭＡ内の最初のＴＤＤＳ情報を対応する前記インジケータ単位内に記録するステップをさらに含むことを特徴とする請求項３３に記載の管理情報の記録方法。
【請求項３５】
前記記録ステップにおいて、前記それぞれのインジケータ単位は、対応するＴＤＭＡがフルであるか否かを示すことを特徴とする請求項３０に記載の管理情報の記録方法。
【請求項３６】
前記インジケータ単位ごとに、前記対応するＴＤＭＡがフルであることを前記インジケータ単位が示す場合、前記対応するＴＤＭＡ内の最終のＴＤＤＳ情報を対応するインジケータ単位内に記録するステップをさらに含むことを特徴とする請求項３５に記載の管理情報の記録方法。
【請求項３７】
前記記録ステップにおいて、前記インジケータ単位の総数は、少なくとも一つの記録層内に存在するＴＤＭＡの総数によって決められることを特徴とする請求項３０に記載の管理情報の記録方法。
【請求項３８】
前記記録ステップにおいて、前記記録媒体が追記型単層光ディスクまたは追記型二層光ディスクであることを特徴とする請求項２３に記載の管理情報の記録方法。
【請求項３９】
少なくとも一つの記録層上にリードイン領域、データ領域、及びリードアウト領域を含む追記型記録媒体上に管理情報を記録する方法であって、
前記追記型記録媒体のリードイン領域内に分離されたインジケータ領域を割り当て、
前記分離されたインジケータ領域内にインジケータを記録し、前記インジケータは、記録媒体上の一時管理領域のうちどの領域が使用中の領域であるかを識別することを特徴とする管理情報の記録方法。
【請求項４０】
前記分離されたインジケータ領域内に一時ディスク定義構造（ＴＤＤＳ）情報を記録するステップをさらに含むことを特徴とする請求項３９に記載の管理情報の記録方法。
【請求項４１】
前記分離されたインジケータ領域は、低いアドレス方向に順次用いられることを特徴とする請求項３９に記載の管理情報の記録方法。
【請求項４２】
少なくとも一つの記録層上に複数の一時欠陥管理領域（ＴＤＭＡｓ）を含む記録媒体上に管理情報を提供する装置であって、
前記ＴＤＭＡのうち少なくとも一つにインジケータを記録するための記録再生部を含み、前記インジケータは、どのＴＤＭＡが使用中であるかを指示することを特徴とする管理情報の提供装置。
【請求項４３】
少なくとも一つの記録層上にリードイン領域、データ領域、及びリードアウト領域を含む追記型記録媒体上に管理情報を提供する装置であって、
前記追記型記録媒体のリードイン領域内に別個のインジケータ領域を割り当てて、前記分離されたインジケータ領域内にインジケータを記録するための記録再生部を含み、前記インジケータは、記録媒体上の一時管理領域のうちどの領域が使用中であるかを識別することを特徴とする管理情報の提供装置。
【発明の詳細な説明】
【技術分野】
【０００１】
本発明は、追記型光ディスク及び光ディスクの管理情報を記録し再生する方法及び装置に関する。
【背景技術】
【０００２】
光記録媒体として大容量のデータが記録可能な光ディスクが広く用いられている。中でも、最近は高画質のビデオデータと高音質のオーディオデータを長期間記録し保存することができる新たな高密図光記録媒体（ＨＤ−ＤＶＤ）、例えば、ブルーレイディスク（ＢＤ：Ｂｌｕ-ｒａｙ  Ｄｉｓｃ）が開発されている。
【０００３】
次世代ＨＤ−ＤＶＤ技術に関わるブルーレイディスク（ＢＤ）は、既存のＤＶＤを遥かに超える大容量のデータが保存可能な次世代光記録ソリューションである。近年、ブルーレイディスクに関わる世界標準の技術規格が確立されつつある。ブルーレイディスク（ＢＤ）に係わる様々な標準案が設けられつつあり、書き換え型ブルーレイディスク（ＢＤ−ＲＥ）に引き続き追記型ブルーレイディスク（ＢＤ−ＷＯ）に対してもその標準案が提案されている。
【０００４】
図１は、関連技術として書き換え型ブルーレイディスク（ＢＤ−ＲＥ）の記録領域の構造を図式的に示す図である。同図に示すように、ディスクは、その内周からリードイン領域（Ｌｅａｄ−ｉｎ  Ａｒｅａ）、データ領域（Ｄａｔａ  Ａｒｅａ）、リードアウト領域（Ｌｅａｄ−ｏｕｔ  Ａｒｅａ）の順に分割される。また、データ領域内には、欠陥領域を代替するための内部スペア領域（ＩＳＡ）と、外部スペア領域（ＯＳＡ）がそれぞれデータ領域内の内、外周に備えられており、上記スペア領域の間には、ユーザデータを記録するユーザデータ領域（Ｕｓｅｒ  Ｄａｔａ  Ａｒｅａ）が備えられている。
【０００５】
書き換え型ブルーレイディスク（ＢＤ−ＲＥ）においてデータを記録中にユーザデータ領域から欠陥領域が見付かれば、その欠陥領域に記録されたデータをスペア領域に書き直す。すなわち、スペア領域内の一部分が欠陥領域を代替する代替領域として活用される。そして、欠陥領域に関する管理情報として欠陥領域及び代替記録された領域などに係わる位置情報をリードイン／リードアウト領域に備えられた欠陥管理領域（ＤＭＡ１、２、３、４）に記録して欠陥管理を行う。ブルーレイディスク（ＢＤ−ＲＥ）は、最小記録単位として“クラスタ”を有し、１クラスタは計３２つのセクタから構成され、１セクタは２０４８バイトから構成される。
【０００６】
上記書き換え型ディスクの場合は、ディスクのどの領域でも書き換えが可能なので、特に記録方式に拘らずランダムにディスクの全領域を用いることができる。すなわち、同じく欠陥管理領域（ＤＭＡ）内へも欠陥管理情報を記録し、消去し、書き換えが可能なことから、欠陥管理領域のサイズが小さくても問題とならない。したがって、ＢＤ−ＲＥの場合は、３２クラスタずつを各欠陥管理領域（ＤＭＡ）に割り当てて使っていた。
【０００７】
一方、追記型ディスク（例えば、ＢＤ−ＷＯ）では、ディスクの特定領域への記録が１回しかできないため、記録方式に多くの制約が伴う。また、ＢＤ−ＷＯのような高密図追記型ディスクにおいても、データを記録するとき、欠陥管理方式が重要な事案の一つとなっていた。したがって、追記型ディスクにおいても、欠陥管理情報及びディスク管理情報を記録するための管理領域が必要であり、特に追記型光ディスクの場合は、記録の‘１回性’という特性のため、上記欠陥管理及びディスクの使用状態情報を記録する領域をより多く必要とする。
【発明の開示】
【発明が解決しようとする課題】
【０００８】
しかしながら、上記必要性を満たしながらも、追記型ディスク（たとえば、ＢＤ−ＷＯ）に適用可能に統一された規格が完備されていない。すなわち、現在提示されている追記型光ディスクに係わる如何なる標準も上述した問題の解決には至っていないのが実状である。
【０００９】
そこで、本発明は、上記のような従来の問題点に鑑みてなされたものであって、追記型光ディスク及び光ディスクへの管理情報を記録再生する方法及び装置に関し、その目的は、追記型光ディスクにおける初期化方法及び初期再生方法を提供することにある。
【００１０】
本発明の他の目的は、追記型光ディスク内に複数の一時ディスク管理領域（ＴＤＭＡ）を備え、上記複数の一時ディスク管理領域（ＴＤＭＡ）の使用効率を高める管理情報を別に記録管理する方法を提供することにある。
【００１１】
本発明の他の長所、目的及び特徴は、発明の詳細な説明において開示されており、これは当業者であれば本発明を実現するに足りる。また、本発明の目的及びその他の長所は、開示された発明の詳細な説明及び特許請求の範囲だけでなく図面によっても実現される。
【課題を解決するための手段】
【００１２】
上記のような目的を達成するための本発明に係る記録媒体は、少なくとも一つの記録層を有する記録媒体において、ユーザデータを記録するデータ領域と、リードイン領域及びリードアウト領域と、複数の一時欠陥管理領域（ＴＤＭＡｓ）とを含んでなり、前記少なくとも一つのＴＤＭＡが、前記ＴＤＭＡの使用状態を識別するインジケータを含むことを特徴とする。
【００１３】
また、本発明に係る追記型記録媒体は、少なくとも一つの記録層と、前記少なくとも一つの記録層上に備えられたリードイン領域、データ領域、及びリードアウト領域と、リードイン領域内に分離されたインジケータ領域とを含み、前記分離されたインジケータ領域内に保存されたインジケータが、記録媒体上の一時管理領域のどの領域が使用中（ｉｎ−ｕｓｅ）であるかを識別することを特徴とする。
【００１４】
また、本発明に係る少なくとも一つの記録層上に複数の一時欠陥管理領域（ＴＤＭＡs）を含む記録媒体上に管理情報を記録する方法は、前記ＴＤＭＡの少なくとも一つにインジケータを記録するステップを含み、前記インジケータが、どのＴＤＭＡが使用中であるかを指示することを特徴とする。
【００１５】
また、本発明に係る少なくとも一つの記録層上にリードイン領域、データ領域、及びリードアウト領域を含む追記型記録媒体上に管理情報を記録する方法は、前記追記型記録媒体のリードイン領域内に分離されたインジケータ領域を割り当てて、前記分離されたインジケータ領域内にインジケータを記録し、前記インジケータが、記録媒体上の一時管理領域のどの領域が使用中の領域であるかを識別することを特徴とする。
【００１６】
また、本発明に係る少なくとも一つの記録層上に複数の一時欠陥管理領域（ＴＤＭＡｓ）を含む記録媒体上に管理情報を提供する装置は、前記ＴＤＭＡの少なくとも一つにインジケータを記録するための記録再生部を含み、前記インジケータが、どのＴＤＭＡが使用中であるかを指示することを特徴とする。
【００１７】
また、本発明に係る少なくとも一つの記録層上にリードイン領域、データ領域、及びリードアウト領域を含む追記型記録媒体上に管理情報を提供する装置は、前記追記型記録媒体のリードイン領域内に別個のインジケータ領域を割り当てて、前記別個のインジケータ領域内にインジケータを記録するための記録再生部を含み、前記インジケータが、記録媒体上の一時管理領域のどの領域が使用中の領域であるかを識別することを特徴とする。
【００１８】
本発明に係る前述した一般的な記載及び後述する実施例は、一つの例に過ぎないことが理解されよう。以下、本発明について詳述する。
【発明を実施するための最良の形態】
【００１９】
以下、図面を参照して、本発明の実施例について詳しく説明すれば、次のとおりである。なお、図面全体において同一の構成要素に対しては同一符号を付し、また、説明の便宜のために、追記型光ディスクとして追記型ブルーレイディスク（ＢＤ−ＷＯ）を例に挙げて説明する。
【００２０】
図２ａ乃至図３は、本発明の実施例に係る追記型光ディスク構造及び上記ディスク上に管理情報を記録する方法を示す図である。
【００２１】
特に、図２ａは、本発明の実施例として、一つの記録層を有する単層追記型光ディスク（例えば、単層ＢＤ−ＷＯ）を示す図である。同図に示すように、上記一つの記録層には、ディスクの内周から順にリードイン領域３０、データ領域４０、リードアウト領域５０が含まれる。上記データ領域４０は、内周及び外周に内部スペア領域（ＩＳＡ０）及び外部スペア領域（ＯＳＡ０）が含まれ、ユーザデータ領域４２を含む。また、上記リードイン領域３０と外部スペア領域（ＯＳＡ０）内には、一時ディスク／欠陥管理領域（ＴＤＭＡ０、ＴＤＭＡ１）がそれぞれ備えられている。
【００２２】
また、複数のディスク管理領域（ＤＭＡ１〜ＤＭＡ４）がリードイン領域３０及びリードアウト領域４０内に備えられる。すなわち、上記ＴＤＭＡは、欠陥管理情報及びディスク管理情報を一時的に保存するのに対し、上記ＤＭＡは、欠陥管理情報及びディスク管理情報を永久的に保存する。例えば、ディスクが終了すれば、上記ＴＤＭＡ内に保存された管理情報がそれぞれのＤＭＡ内に転記される。
【００２３】
図２ｂは、本発明の実施例として、二つの記録層を有する二層追記型ディスク（例えば、ＢＤ−ＷＯ）を示す図である。同図に示すように、上記二層ディスクは、第１の記録層（Ｌａｙｅｒ０）と第２の記録層（Ｌａｙｅｒ１）を含む。また、それぞれの記録層は、内周及び外周に管理領域を含み、ＤＭＡ１〜ＤＭＡ４が備えられている。
【００２４】
また、上記二層ディスクは、各記録層内にデータ領域４５を含み、上記各データ領域は、ユーザデータを保存するユーザデータ領域４７を含む。上記第１の記録層（Ｌａｙｅｒ０）のデータ領域４５内には、内部スペア領域（ＩＳＡ０）及び外部スペア領域（ＯＳＡ０）が備えられており、上記第２の記録層（Ｌａｙｅｒ１）のデータ領域４５内にも内部スペア領域（ＩＳＡ１）及び外部スペア領域（ＯＳＡ１）が備えられている。ＩＳＡ０のサイズは固定されているのに対し、ＯＳＡ０、ＯＳＡ１及びＩＳＡ１のサイズは可変である。例えば、ＩＳＡ１のサイズは、Ｌ×２５６クラスタ、ＯＳＡ０及びＯＳＡ１のサイズは、Ｎ×２５６クラスタからそれぞれ構成される。上記ＬとＮは、正の整数を示す。
【００２５】
図２ｂに示すように、二層追記型ディスク上の内周には、それぞれ固定されたサイズ（例えば２０４８クラスタ）を有するＴＤＭＡ０及びＴＤＭＡ１が備えられる。また、ＴＤＭＡ２、ＴＤＭＡ３、及びＴＤＭＡ４は、可変サイズを有するＯＳＡ０、ＯＳＡ１、及びＩＳＡ１内にそれぞれ備えられており、当該スペア領域のサイズに応じて可変サイズを有する。
【００２６】
二層ディスクの場合は、上記ＴＤＭＡ０及びＴＤＭＡ１は必ずディスク内に備えられなければならないが、ＴＤＭＡ２、ＴＤＭＡ３及びＴＤＭＡ４は、可変サイズ、例えば対応するスペア領域の１／４サイズで選択的に備えられる。すなわち、ＴＤＭＡ２及びＴＤＭＡ３は、Ｐ＝（Ｎ×２５６）／４クラスタのサイズに割り当てられ、ＴＤＭＡ４は、Ｑ＝（Ｎ×２５６）／４クラスタのサイズに割り当てられる（Ｎ及びＬは、正の整数）。また、単層ディスクの場合は、上記ＴＤＭＡ０は、必ずディスク内に備えられなければならないが、ＴＤＭＡ１は選択的に備えられる。
【００２７】
本発明の実施例によれば、追記型単層光ディスク（例えば、単層ＢＤ−ＷＯ）は、最大２つのＴＤＭＡを有することができ、追記型二層光ディスク（例えば、二層ＢＤ−ＷＯ）は、最大５つのＴＤＭＡを有し、以下、図２ａ及び図２ｂに示した本発明の光ディスクの構造及び特徴を説明すれば、次のとおりである。説明の便宜のために、二層の場合を例に挙げて説明する。
【００２８】
第１に、追記型光ディスクの特性上、ディスクの各種管理情報を記録する領域を多数確保する必要がある。したがって、本発明に係る光ディスクは、欠陥管理領域（ＤＭＡ）の他にも、多数の一時ディスク管理領域（以下、”ＴＤＭＡ”という）を含む。
【００２９】
本発明によれば、上記複数のＴＤＭＡは、特定の連続した使用順序で用いられる。例えば、二層ディスクの場合は、上記ＴＤＭＡは、ＴＤＭＡ０からＴＤＭＡ４の順に用いることができ、単層ディスクの場合は、上記ＴＤＭＡは、ＴＤＭＡ０からＴＤＭＡ１の順に用いることができる。例えば、二層の場合、ディスク上へのユーザデータの記録が行われるに伴い、適切な情報（例えば、図３に基づいて後述するＴＤＤＳ、ＴＤＦＬなど）が空いている先頭のＴＤＭＡ０に記録される。このような情報記録によりＴＤＭＡ０がフルになれば（すなわち、ＴＤＭＡ０の使用が完了すれば）、ユーザデータの記録に関連付けられた適切な情報を記録するために、次の空いているＴＤＭＡ１を用いる。よってＴＤＭＡ１がまたフルになれば、次にＴＤＭＡ２を用いる。ＴＤＭＡは必要に応じて予め指定された特定の順序に従って用いられることに留意されたい。したがって、ＴＤＭＡの認識ナンバー（例えば、ＴＤＭＡ０からＴＤＭＡ４）は、上記使用順序に従って付与されるものである。
【００３０】
さらに、本発明の追記型光ディスクは、上記複数のＴＤＭＡを管理する管理情報を記録する領域を別に含む。本発明における上記管理情報は、‘ＴＤＭＡ位置インジケータ（以下、ＴＬＩ；ＴＤＭＡ  Ｌｏｃａｔｉｏｎ  Ｉｎｄｉｃａｔｏｒ）’と称する。上記ＴＬＩは、‘ＴＡＩ（ＴＤＭＡ  Ａｃｃｅｓｓ  Ｉｎｄｉｃａｔｏｒ）’とも称される。すなわち、上記ＴＬＩは、ＴＤＭＡの使用順序に従って複数のＴＤＭＡのうち“現在使用中のＴＤＭＡ（ｉｎ−ｕｓｅ  ＴＤＭＡ）”がどこであるかを知らせる情報である。上記現在使用中のＴＤＭＡとは、特定の使用順序を有するすべてのＴＤＭＡのうち現在使用中であるか、またはアクセス中であるか、使用可能なＴＤＭＡを意味する。多様な実施例によれば、現在使用中のＴＤＭＡインジケータ、またはＴＤＭＡフルインジケータを使用して、上記ＴＬＩによって現在使用中のＴＤＭＡを指示する方式が実現可能であり、これについては後で詳しく説明する。
【００３１】
上記ＴＬＩが現在使用中のＴＤＭＡを識別することにより、現在使用中のＴＤＭＡ内に記録された最終の欠陥管理及びディスク使用状態情報を容易に初期再生可能となるため、全体としては、初期アクセスタイムが大幅に軽減する。これは、ディスクが最小にロードされたときに特に有利である。ＴＬＩがなければ、使用中のＴＤＭＡから必要な管理情報を取得するためにどのＴＤＭＡが現在使用中のＴＤＭＡであるかを決定するためにスキャンしなければならない。
【００３２】
本発明に係る上記ＴＬＩは、ディスク内の多様な領域に備えることができる。特に、光記録再生装置が、実際の記録再生の前にディスクに係わる各種情報を獲得することによりアクセス可能なディスクの管理領域（リードイン領域、リードアウト領域など）であればどの領域に備えても構わない。例えば、図２ａに示す単層ディスクでは、ＴＬＩがリードイン領域３０内に備えられており、また、図２ｂに示す二層ディスクでは、ＴＬＩが第１の記録層（Ｌａｙｅｒ０）のリードイン領域内に備えられている。ＴＬＩが割り当てられる位置に関する他の例については、後で説明することにする。
【００３３】
図３は、本発明のＴＤＭＡ内に記録される、各種のディスク欠陥管理情報及びディスク使用状態情報を例示する図である。記録する度に最小記録単位である１クラスタ以上ずつ記録され、上記ＴＤＭＡ（例えば、ＴＤＭ０、ＴＤＭＡ１、ＴＤＭＡ２、ＴＤＭＡ３、ＴＤＭＡ４）内に記録される多様な情報を通称して一時ディスク管理構造（ＴＤＭＳ：Ｔｅｍｐｏｒａｒｙ  Ｄｉｓｃ  Ｍａｎａｇｅｍｅｎｔ  Ｓｔｒｕｃｔｕｒｅ）情報という。ＴＤＭＳ情報は、規格に応じて変更または追加可能である。
【００３４】
図３に示すように、上記ＴＤＭＳ情報は、ディスク欠陥管理情報を記録する一時欠陥リスト“ＴＤＦＬ（Ｔｅｍｐｏｒａｒｙ  Ｄｅｆｅｃｔ  Ｌｉｓｔ）”と、ディスク使用状態を表示する情報として、順次記録モード（Ｓｅｑｕｅｎｔｉａｌ  ｒｅｃｏｒｄｉｎｇ  ｍｏｄｅ）に適用される“ＳＲＲＩ（Ｓｅｑｕｅｎｔｉａｌ  Ｒｅｃｏｒｄｉｎｇ  Ｒａｎｇｅ  Ｉｎｆｏｒｍａｔｉｏｎ）”とランダム記録モード（Ｒａｎｄｏｍ  ｒｅｃｏｒｄｉｎｇ  ｍｏｄｅ）に適用される“ＳＢＭ（Ｓｐａｃｅ−Ｂｉｔ  Ｍａｐ）”と、１クラスタ（または、複数クラスタ）の最終セクタには、常時上記ＴＤＦＬ、ＳＲＲＩ（または、ＳＢＭ）の最新位置情報を含む“ＴＤＤＳ”を含んでなる。なお、ＳＲＲＩとＳＢＭは、同時に用いられることはなく、記録モードに応じて選択的に記録される情報である。
【００３５】
例えば、図２ａ及び図２ｂに示したディスク構造において、それぞれのＴＤＭＡ０〜ＴＤＭＡ４は、図３に示すように、記録する度またはアップデートする度に１クラスタ内にＴＤＤＳとともに一つまたはそれ以上のＴＤＦＬ／ＳＢＭ／ＳＲＲＩを含む。すなわち、ＴＤＤＳとともにＴＤＦＬ／ＳＢＭ／ＳＲＲＩの記録が１クラスタに構成され、一般に、各クラスタの最後のセクタ内にＴＤＤＳ情報が記録されるように指示される。なお、最後のセクタの代わりに、クラスタの先頭の第１セクタにＴＤＤＳ情報を記録することも可能である。
【００３６】
上記“ＴＤＤＳ”情報は、ディスクの一般的な記録再生情報を含んでおり、上述したように、ＴＤＦＬ、ＳＲＲＩ（または、ＳＢＭ）の最新の位置を指定するポインタ情報が含まれていることから、ディスクが記録再生装置内にローディングされれば、常時最初に確認しなければならない情報である。ＴＤＤＳ情報は、ディスクの使用状態に伴い継続してアップデートされるため、ＴＤＭＡ内に記録する度に、またはアップデートする度に連続的に記録する。したがって、最近使用中のＴＤＭＡ内の最終のＴＤＤＳは、現在ディスク使用状態に関する各種の管理情報にアクセスするために必ず確認する必要がある。
【００３７】
上記のように、ＴＤＭＳ情報を記録するＴＤＭＡは特定の使用順序に従って用いられる。例えば、ＴＤＭＡ０内にＴＤＭＳを必要に応じてアップデートすることによってＴＤＭＡ０がフルになれば、以後の使用順序に従って次のＴＤＭＡ、例えばＴＤＭＡ１をＴＤＭＳ情報のアップデートのために用いる。本発明では、上記特定の使用順序に従って用いられるＴＤＭＡのうち、現在使用中のＴＤＭＡがどれであるかを知らせる管理情報（ＴＬＩ）を提供し、多様な実施例による方法を図４ａ〜図６ｃを参照して説明することにする。図４ａ〜図６ｃに示すようなＴＬＩ構造及び使用例は、図２ａ、図２ｂ、及び後述する図７〜図１１ａ及び図１２ａまたはＴＬＩを必要とする他のディスク構造にも適用可能である。
【００３８】
図４ａ〜図４ｅは、本発明の第１の実施例に係るＴＬＩ構造を示す図である。本実施例は、現在使用中のＴＤＭＡの位置を指定するＴＬＩを提供する。詳しくは、図４ａは、一つの記録層を有する単層の場合を示す図であり、図４ｂ〜図４ｅは、二つの記録層を有する二層の場合を示す図である。
【００３９】
図４ａは、追記型光ディスクが図２ａに示すように一つの記録層を有する単層内に二つのＴＤＭＡ（ＴＤＭＡ０、ＴＤＭＡ１）を有し、上記ＴＤＭＡが、特定の使用順序に従って用いられる場合を示す図である。したがって、ＴＬＩ５２は、一つの記録単位、例えば単一クラスタ５２aを有するＴＤＭＡ１使用中インジケータ５３を含む。ＴＬＩ５２は、一つのクラスタ５２aで二つのＴＤＭＡを管理する。上記ＴＤＭＡ１使用中インジケータ５３は、当該ＴＤＭＡ１が現在使用中のＴＤＭＡであるか否かを直接指示する。これは、ＴＬＩ５２のクラスタ５２ａ内に特定の記録を行うことによって実施される。ＴＬＩクラスタ５２ａ内に特定の記録が行われる場合、上記ＴＬＩクラスタ５２ａを‘記録状態’という。一方、ＴＬＩクラスタ５２ａ内に特定の記録が行われない場合、上記ＴＬＩクラスタ５２ａを‘未記録状態’という。すなわち、上記ＴＬＩクラスタ５２ａが未記録状態であれば、これは最初に用いられるＴＤＭＡ０が現在使用中のＴＤＭＡであることを意味する。これに対し、ＴＬＩクラスタ５２ａが記録状態であれば、二番目に用いられるＴＤＭＡ１が現在使用中のＴＤＭＡであることを意味し、これはＴＤＭＡ０が使用済みであって、もはや記録する領域が残っていないことを意味する（すなわち、ＴＤＭＡ０フル状態）。
【００４０】
すなわち、ディスクのユーザデータの記録中に最初に用いられたＴＤＭＡ０がフルになれば、次の使用順序に従って指定されたＴＤＭＡ１に関連情報を記録する。この場合、予め決められた特定のデータを上記ＴＬＩクラスタ５２ａ内に記録し、上記ＴＬＩクラスタ５２ａを‘記録状態’にしておく。上記記録状態になったＴＬＩクラスタ５２ａは、ＴＤＭＡ０ではなくＴＤＭＡ１が現在使用中のＴＤＭＡであることを示し、これは、ユーザデータ記録動作の間は目下利用可能であることを意味する。したがって、上記ＴＬＩクラスタの記録状態または未記録状態を確認することによって、記録再生装置は、ディスク内へのデータの記録動作中にどのＴＤＭＡを用いらなけらばならないかを容易に且つ迅速に確認することが可能になる。これは、ディスクへのアクセス時間を画期的に軽減し、またディスク内へ効率良く記録動作を行うことができる。
【００４１】
本発明の実施例によれば、追記型単層ディスクが２つ以上のＴＤＭＡを含む場合、上記ＴＬＩクラスタの総数は、ディスク内に存在するＴＤＭＡの総数に応じて決められる。例えば、ディスク内にＸ個のＴＤＭＡが存在する場合、ＴＬＩクラスタは（Ｘ−１）個存在する。それぞれのＴＬＩクラスタは、ＴＤＭＡの特定のＴＤＭＡと対応するようになっており、一般に、ＴＤＭＡの使用順序に従って最初に用いられるＴＤＭＡには対応するＴＬＩが存在しない。
【００４２】
本発明の実施例によれば、ＴＬＩクラスタを記録状態にしておくためにＴＬＩクラスタ内に特定のデータを記録する方式は様々に実現可能である。例えば、ＴＬＩクラスタが記録状態であるか否かを一層容易に確認するために高周波信号を記録することも可能である。また、例えば、意味のないダミーデータまたは意味のある実際データをＴＬＩクラスタ内に記録することも可能である。上記意味のある実際データをＴＬＩクラスタ内に記録する例については、図１０ａ、図１０ｂを参照して後述する。
【００４３】
本発明の第１の実施例に係る追記型二層光ディスクのためのＴＬＩの使用及び構造について説明すれば、次のとおりである。
【００４４】
図４ｂに示すように、追記型二層ディスクの場合は、ディスク内にはＴＤＭＡが最大５つ存在可能であり（ＴＤＭＡ０〜ＴＤＭＡ４）、これを管理するためのＴＬＩとしては、４クラスタ（５５ａ〜５５ｄ）が割り当てられ、それぞれのＴＬＩクラスタは、ＴＤＭＡ１〜ＴＤＭＡ４の何れかに対応する。この例では、上記ＴＤＭＡがＴＤＭＡ０〜ＴＤＭＡ４の順に用いられ、上記最初のクラスタ〜四番目のＴＬＩクラスタ５５ａ〜５５ｄは、それぞれＴＤＭＡ１〜ＴＤＭＡ４に対応し、これは、対応するＴＤＭＡが現在使用中のＴＤＭＡであることを表示する情報５６〜５９として活用される。したがって、上記ＴＬＩクラスタ５５ａ〜５５ｄは、アドレス（例えば、ＰＳＮ）が増加する方向の順に記録される。図４ｂに上記記録方向を矢印で示している。すなわち、特定のＴＬＩクラスタが記録状態であれば、これは、自動的に以前のＴＬＩクラスタも記録状態にあることを意味する。例えば、二番目のＴＬＩクラスタ５５ｂが記録状態であれば、最初のＴＬＩクラスタ５５ａも既に記録状態であることを意味する。
【００４５】
したがって、４つのすべてのＴＬＩクラスタ５５ａ〜５５ｄが未記録状態であるとすれば、これは、最初に用いられるＴＤＭＡ０が現在使用中のＴＤＭＡであることを意味し、最初のＴＬＩクラスタ５５ａ（ＴＤＭＡ１使用中インジケータ５６）だけが記録状態であるとすれば、これは、ＴＤＭＡ０がフルとなり、ＴＤＭＡ１が現在使用中のＴＤＭＡであることを意味する。また、二番目のＴＬＩクラスタ５５ｂ（ＴＤＭＡ２使用中インジケータ５７）が記録状態であるとすれば、これは、ＴＤＭＡ０及びＴＤＭＡ１がフルになり、ＴＤＭＡ２が現在使用中のＴＤＭＡであることを意味する。また、三番目のＴＬＩクラスタ５５ｃ（ＴＤＭＡ３使用中インジケータ５８）が記録状態であるとすれば、これは、ＴＤＭＡ０〜ＴＤＭＡ２がフルになり、ＴＤＭＡ３が現在使用中のＴＤＭＡであることを意味する。また、四番目のＴＬＩクラスタ５５ｄ（ＴＤＭＡ４使用中インジケータ５９）が記録状態であるとすれば、これは、ＴＤＭＡ０〜ＴＤＭＡ３がフルになり、ＴＤＭＡ４が現在使用中のＴＤＭＡであることを意味する。
【００４６】
例えば、図４ｃに示すように、最初のクラスタ及び二番目のＴＬＩクラスタ５５ａ、５５ｂが記録状態であるとすれば、これは、ＴＤＭＡ０及びＴＤＭＡ１がフルになり、ＴＤＭＡ２が現在使用中のＴＤＭＡであることを意味する。
【００４７】
したがって、記録再生装置は、ディスクがローディングされた後、ＴＬＩクラスタの状態を確認することによって現在使用中のＴＤＭＡの位置（すなわち、どのＴＤＭＡが現在使用中のＴＤＭＡか）を確認することが可能になる。したがって、記録再生装置は、上記現在使用中のＴＤＭＡの開始位置に迅速にアクセスし、当該ＴＤＭＡ内に記録された最終のＴＤＭＳ情報を読み込み、これによって記録及び／または再生のための様々な初期情報を取得する。従来技術のようにＴＬＩが存在しない場合、記録再生装置は、必ずＴＤＭＡ０の開始位置からすべてのＴＤＭＡをスキャンし、現在使用可能なＴＤＭＡを確認しなければならない。したがって、従来技術による場合、初期情報を獲得するには多くの時間が必要になるという不具合がある。
【００４８】
図４ｄは、追記型二層ディスクにおけるＴＬＩの構造を示す図であって、特に、図４ｂに比べてＴＬＩクラスタの記録方向が逆方向の場合を示す図である。図４ｄに示す例によれば、ＴＬＩ５５の記録方向は、高い物理セクタ番号（ＰＳＮ）を有するクラスタから低いＰＳＮを有するクラスタの順に進められる。例えば、四番目のＴＬＩクラスタ５５ｄから最初のＴＬＩクラスタ５５ａの記録方向の順に進められる。本例によれば、最初の〜四番目のＴＬＩクラスタ５５ａ〜５５ｄはＴＤＭＡ４〜ＴＤＭＡ１に対応し、それぞれＴＤＭＡ４〜ＴＤＭＡ１が現在使用中のＴＤＭＡであることを示す情報５９〜５６として活用されることを意味する。ここで、ＴＤＭＡは、ＴＤＭＡ１〜ＴＤＭＡ４の順に用いられることは前と同じである。
【００４９】
特に、図４ｄに示すようなＴＬＩ記録方向に沿った使用は、ＯＰＣ（Ｏｐｔｉｍｕｍ  Ｐｏｗｅｒ  Ｃａｌｉｂｒａｔｉｏｎ、図示せず）領域との干渉を除去する上で有効である。これは、後述する図７に示すようにＴＤＭＡ０内の先頭部分にＴＬＩが存在する場合、上記ＯＰＣ領域がＴＤＭＡ０に隣接して備えられることによって発生し得る干渉を除去するためである。
【００５０】
図４ｅは、図４ｄに示すＴＬＩ構造での使用例を示す図である。四番目及び三番目のＴＬＩクラスタ５５ｄ、５５ｃが記録状態であるとすれば、これは、ＴＤＭＡ０及びＴＤＭＡ１がフルになり、ＴＤＭＡ２が現在使用中のＴＤＭＡであることを意味する。
【００５１】
図５ａ〜図５ｃは、本発明の第２の実施例に係るＴＬＩの構造を示す図である。本実施例は、どのＴＤＭＡがフルであるかを示すことによって、現在使用中のＴＤＭＡの位置を指示するＴＬＩを提供する。詳しくは、図５ａは、一つの記録層を有する単層の場合のＴＬＩ構造を示し、図５ｂ〜図５ｃは、二つの記録層を有する二層の場合のＴＬＩ構造を示す図である。本例においても、上述したように、ＴＤＭＡは特定の使用順序に従って用いられ、単層の場合、ＴＤＭＡ０からＴＤＭＡ１の順に、二層の場合、ＴＤＭＡ０からＴＤＭＡ４の順に用いられることを前提とする。
【００５２】
図５ａは、単層ディスクに関する例であって、ＴＬＩ６２のために一つのクラスタ６２ａが割り当てられた場合を示す図である。上記クラスタ６２ａは、ＴＤＭＡ０フルインジケータ６３として活用される。すなわち、ＴＤＭＡ０がフルになれば、上記ＴＬＩクラスタ６２ａ（ＴＤＭＡ０フルインジケータ６３）は記録状態になることを示す。これは、他の意味としてＴＤＭＡ１が現在使用中のＴＤＭＡであることを意味する。ＴＬＩクラスタ６２ａが未記録状態であれば、これはＴＤＭＡ０がまだフルになっていないことを意味し、結局として、ＴＤＭＡ０が現在使用可能なＴＤＭＡであることを意味する。
【００５３】
図５ｂは、追記型二層ディスクにおいてＴＬＩ６５のために最初のクラスタ〜四番目のクラスタ６５ａ〜６５ｄを割り当てて、順次記録する例を示す図である。上記最初の〜四番目のクラスタ６５ａ〜６５ｄは、それぞれ対応するＴＤＭＡ０〜ＴＤＭＡ３のフル有無を示す情報６８〜６９として活用される。すなわち、それぞれのＴＬＩクラスタは、対応するＴＤＭＡがフルであるか否かを示す。
【００５４】
したがって、例えば、ＴＤＭＡ０〜ＴＤＭＡ３がフルであるとすれば、ＴＬＩ６５のクラスタ６５ａ〜６５ｄが記録状態にならなければならず、これは、ＴＤＭＡ４が現在使用中のＴＤＭＡであることを意味する。また、すべてのＴＬＩクラスタが未記録状態であるとすれば、これは、ＴＤＭＡ０が現在使用中のＴＤＭＡであることを意味する。また、最初のＴＬＩクラスタ６５ａだけが記録状態であるとすれば、これは、ＴＤＭＡ０がフルであり、ＴＤＭＡ１が現在使用中のＴＤＭＡであることを意味する。また、図５ｃに示すように、最初のクラスタ及び二番目のＴＬＩクラスタ６５ａ、６５ｂだけが記録状態であるとすれば、これは、ＴＤＭＡ０及びＴＤＭＡ１がフルで、ＴＤＭＡ２が現在使用可能なＴＤＭＡであることを意味する。
【００５５】
図６ａ〜図６ｃは、本発明の第３の実施例に係るＴＬＩの構造を示す図である。本実施例は、どのＴＤＭＡがフルであるかを示すことによって、現在使用中のＴＤＭＡの位置を指示するＴＬＩを提供する。本発明の第２の実施例と相違する点は、ＴＬＩが追加のクラスタをさらに含むことにある。図６ａ〜図６ｃに示す例においても、上述したように、ＴＤＭＡは、特定の使用順序に従って用いられ、単層の場合はＴＤＭＡ０からＴＤＭＡ１の順に、二層の場合はＴＤＭＡ０からＴＤＭＡ４の順に用いられることを前提とする。
【００５６】
図６ａは、単層ディスクに関する例として、ＴＬＩ６２のために二つのクラスタ７２ａ、７２ｂが割り当てられた場合を示す図である。上記クラスタ７２ａ、７２ｂは、それぞれＴＤＭＡ０フルインジケータ７３及びＴＤＭＡ１フルインジケータ７４として活用される。したがって、ＴＤＭＡ０がフルになれば、上記最初のＴＬＩクラスタ７２ａだけが記録状態になり、これを示す。これは、他の意味ではＴＤＭＡ１が現在使用中のＴＤＭＡでって使用できることを意味する。最初のＴＬＩクラスタ７２ａが未記録の状態であれば、これは、ＴＤＭＡ０がまだフルになっていないことを意味し、結局、ＴＤＭＡ０が現在使用中のＴＤＭＡであって使用可能であることを意味する。最初のクラスタ及び二番目のＴＬＩクラスタ７２ａ、７２ｂが記録状態であれば、これは、ＴＤＭＡ０及びＴＤＭＡ１がフルであることを意味し、結局、管理情報を記録するためのＴＤＭＡがないことを意味する。この場合、ディスクはクローズされる。
【００５７】
図６ｂは、追記型二層ディスクにおいてＴＬＩ７５のために最初のクラスタ〜五番目のクラスタ７５ａ〜７５ｅを割り当て、順次記録する例を示す図である。上記最初のクラスタ〜五番目のクラスタ７５ａ〜７５ｅは、それぞれ対応するＴＤＭＡ０〜ＴＤＭＡ４フルインジケータ７６〜８０として活用される。それぞれのＴＬＩクラスタは、対応するＴＤＭＡがフルであるか否かを示す。
【００５８】
したがって、例えば、すべてのＴＬＩクラスタが未記録状態であれば、これは、ＴＤＭＡ０が現在使用中のＴＤＭＡであることを意味する。また、最初のＴＬＩクラスタ７５ａだけが記録状態であるとすれば、これは、ＴＤＭＡ０がフルであり、ＴＤＭＡ１が現在使用中のＴＤＭＡであることを意味する。また、最初のクラスタ及び二番目のＴＬＩクラスタ７５ａ、７５ｂだけが記録状態であるとすれば、これは、ＴＤＭＡ０及びＴＤＭＡ１がフルで、ＴＤＭＡ２が現在使用中のＴＤＭＡであることを意味する。また、図６ｃに示すようにＴＬＩ７５の５つのクラスタ７５ａ〜７５ｅがすべて記録状態であれば、これは、ＴＤＭＡ０〜ＴＤＭＡ４までのすべてがフルで、現在使用可能なＴＤＭＡがないことを意味する。この場合ディスクは終了（クローズ）する。
【００５９】
図５ａ〜図６ｃは、低いＰＳＮを有するＴＬＩクラスタから高いＰＳＮを有するＴＬＩクラスタの順に用いられることを示す図である。しかし、図５ａ〜図６ｃに示すようなＴＬＩの記録する順番は変更可能であり、したがって、図４ｄ〜図４ｅに示すようにＴＬＩクラスタをアドレスの高いものから低いものの順に連続して用いることも可能である。
【００６０】
上述したように、上記ＴＬＩ（例えば、図４ａ〜図６ｃの実施例）は、図２ａ及び図２ｂに示すような単層または二層ディスクのリードイン領域内に位置してもよい。以下、図７〜図９は、本発明の実施例に係る上記管理情報ＴＬＩがディスク上の記録可能な様々な位置について示す図である。図２ａ、図２ｂ及び図７〜図９の例によれば、ディスク上のＴＬＩの任意の位置は、光記録再生装置が管理領域として初期に認識可能な領域内であればどこでも構わない。この点からディスク内のデータ領域は、ＴＬＩ位置から除外してもよい。
【００６１】
例えば、図７に示すように、上記ＴＬＩは、追記型単層（層０）及び２層（層０および層１）光ディスク（例えば、ＢＤ−ＷＯ）のＴＤＭＡ０内の先頭部分に提供される。また他の例として、図８に示すように、上記ＴＬＩは、追記型単層及び二層ディスクのＴＤＭＡ０内の末端部分に提供することも可能である。また別の例として、図９に示すように、上記ＴＬＩは、追記型単層及び二層ディスクの一つのＤＭＡ内にまたは特定のＤＭＡ内に、またはすべてのＤＭＡ内に提供することも可能である。
【００６２】
図１０ａと図１０ｂは、本発明の実施例に係る、上記ＴＬＩ内に記録される相違するコンテンツに関する二つの例を示す図である。なお、図１０ａ及び図１０ｂは、一つのクラスタのみを示したが、上記ＴＬＩ内の各クラスタは、すべて同一のコンテンツ構造を有する。
【００６３】
特に、図１０ａ及び図１０ｂは、ＴＬＩクラスタ内に特定の実際データを記録することによって、上記ＴＬＩクラスタを記録状態とする例を示す図である。ＴＬＩ内に記録された実際データの一部または全部は、上述したように現在使用中のＴＤＭＡを確認するためのＴＬＩクラスタが記録状態であるか否かを示すのに直接使用できる。
【００６４】
上記意味のある実際データの使用は、単に現在使用中のＴＤＭＡを示すという意味の他、別の関連情報を提供するという長所を有する。しかし、意味のないダミーデータまたは如何なる指定された信号も、ＴＬＩクラスタの記録状態または未記録状態を示すためであれば記録してもよい。図１０ａ及び図１０ｂに示す上記ＴＬＩのコンテンツ構造は、図２ａ〜図９及び図１１ａ〜図１３ｂに示したディスク及びＴＬＩに適用可能である。
【００６５】
図１０ａに示した一つの例によれば、上述した特定のＴＤＭＡに対応する上記ＴＬＩクラスタは、対応するＴＤＭＡが現在使用中のＴＤＭＡであるか否かを示す情報の他にも、上記対応するＴＤＭＡに係わる最新のＴＤＤＳ情報を含む。特に、図１０ａの特徴は、本発明の第２の実施例（図５ａ〜図５ｃ）及び第３の実施例（図６ａ〜図６ｃ）に有用である。例えば、各ＴＤＭＡ内の最終のクラスタ内に最新のＴＤＤＳ情報を記録する場合、上記最新のＴＤＤＳを含むＴＤＭＡと現在使用中のＴＤＭＡは互いに異なり、これは、ディスクへのアクセス時におけるエラーにつながることがある。図１０ａに示すように、ＴＬＩ内に別の情報を提供するによって上記のようなエラーを防止することができる。その詳細を図１０ａに基づいて説明すれば、次のとおりである。
【００６６】
第１に、ＴＬＩが最小記録単位であるクラスタ単位で記録されると仮定する。全３２セクタを有するＴＬＩクラスタの最初のセクタ（セクタ０）内には、ＴＬＩ情報であることを認識可能にする認識フィールド８２（“ＴＬＩ  ｉｎｄｅｎｔｉｆｉｅｒ”）と、現ディスクのバージョンに係わる情報を記録するＴＬＩフォーマット情報フィールド８３（“ＴＬＩ  ｆｏｒｍａｔ”）と、ＴＬＩがアップデートされる度にカウンター値を‘１’ずつ増加させるＴＬＩアップデートカウンターフィールド８４（“ＴＬＩ  ｕｐｄａｔｅ  ｃｏｕｎｔ”）が存在する。上記ＴＬＩアップデートカウンターフィールド８４は、上記ＴＬＩ内に存在するクラスタの数を指定する情報としても活用することができる。また、ＴＬＩクラスタの最初のセクタ（セクタ０）内には、最新のＴＤＤＳ情報が位置するＴＤＭＡに関する情報を提供するＴＤＤＳ位置フィールド８５（“Ｌａｔｅｓｔ  ＴＤＤＳ  ｌｏｃａｔｉｏｎ”）が存在する。
【００６７】
上記ＴＬＩクラスタの最初のセクタ（セクタ０）内の残り領域８６は、予め設定された値を使って（例えば、フィールドに“００ｈ”を設定して）、当該ＴＬＩの記録状態または未記録状態を知らせるのに用いられる。例えば、上記ＴＬＩクラスタの最初のセクタ（セクタ０）内の残り領域８６が指定された値で記録されていれば、当該ＴＬＩは記録状態であることを示し、これは、上述した図４ａ〜図６ｃによれば、対応するＴＤＭＡの使用状態を示す。
【００６８】
特に、上記ＴＬＩクラスタの最初のセクタ（セクタ０）内のＴＤＤＳ位置（“Ｌａｔｅｓｔ  ＴＤＤＳ  ｌｏｃａｔｉｏｎ”）フィールド８５は、対応するＴＤＭＡがフルであるか否かを問わず、最新のＴＤＤＳ情報が記録されたＴＤＭＡを識別する。例えば、上記フィールド８５の値が“００００  ００００b”であれば、最新のＴＤＤＳはＴＤＭＡ０内に存在することを意味し、“００００  ０００１b”であれば最新のＴＤＤＳは、ＴＤＭＡ１内に存在することを意味し、“００００  ００１０b”であれば最新のＴＤＤＳは、ＴＤＭＡ２内に存在することを意味し、“００００  ００１１b”であれば最新のＴＤＤＳはＴＤＭＡ３内に存在することを意味し、“００００  ０１００b”であれば最新のＴＤＤＳはＴＤＭＡ４内に存在することを意味すると定義することができる。したがって、例えば、ＴＬＩ内の最初のクラスタだけが記録状態であり（すなわち、図５ｂの最初のＴＬＩクラスタ６５ａ内のフィールド８６が記録状態であり）、上記ＴＤＤＳ位置フィールド８５（“Ｌａｔｅｓｔ  ＴＤＤＳ  ｌｏｃａｔｉｏｎ”）が“００００  ００００b”値を有すれば、これは、使用可能なＴＤＭＡはＴＤＭＡ１であるが、最新のアップデートされたＴＤＤＳ情報は、ＴＤＭＡ０内に存在する。
【００６９】
さらに、上記最新のＴＤＤＳ情報をＴＬＩクラスタの二番目のセクタ（セクタ１）内の最新のＴＤＤＳフィールド８７（“Ｌａｔｅｓｔ  ＴＤＤＳ”）内に記録する。その結果、上記ＴＬＩは、最新のＴＤＤＳ情報を直接復元するのに活用可能になる。これは、次のような点から長所を有する。すなわち、ＴＤＭＳ情報の一部として、ＴＤＭＡ内に記録された最新のＴＤＤＳ情報に損失があるとしても、ＴＤＭＡ０に記録された上記ＴＬＩからの復元が可能であるため、重要なＴＤＤＳ情報を失うことがない。上記ＴＬＩクラスタの残りのセクタ８８の全部または一部には、上記ＴＤＤＳフィールド８７（“Ｌａｔｅｓｔ  ＴＤＤＳ”）内に保存された最新のＴＤＤＳ情報を転記することが可能である。それぞれのＴＤＤＳ情報は１セクタサイズに記録される。したがって、例えば、ＴＬＩクラスタ内の３セクタ内に同一の最新のＴＤＤＳ情報をそれぞれ記録すれば、これは、最新のＴＤＤＳ情報がＴＬＩクラスタ内に３回保存されることを意味する。ＴＬＩクラスタ内のＴＤＤＳフィールド８７（“Ｌａｔｅｓｔ  ＴＤＤＳ”）内に記録される上記最新のＴＤＤＳ情報は、最終のＴＤＤＳ情報であるかまたは最初のＴＤＤＳ情報であればよい。例えば、ＴＬＩクラスタが、‘ＴＤＭＡフルインジケータ'ではなく‘ＴＤＭＡ使用中インジケータ'を用いる場合、ＴＬＩクラスタに対応するＴＤＭＡは現在使用中のＴＤＭＡを意味するようになり、よって、上記ＴＬＩクラスタ内の特定のフィールド８６を記録することによって、当該ＴＤＭＡが現在使用中のＴＤＭＡであることを示す。この場合、当該ＴＤＭＡ内に記録された最初のＴＤＤＳ情報をＴＬＩクラスタ内の上記最新のＴＤＤＳフィールド８７内に最新のＴＤＤＳ情報とみなして転記する。したがって、当該ＴＤＭＡは依然として使用中でまだフルになっていないため、上記最初のＴＤＤＳ情報が上記フィールド８７内に記録される。
【００７０】
これに対し、ＴＬＩクラスタが‘ＴＤＭＡ使用中インジケータ’ではなく‘ＴＤＭＡフルインジケータ’を用いる場合、ＴＬＩクラスタに対応するＴＤＭＡは、フルであり、よって、上記ＴＬＩクラスタ内の特定のフィールド８６を記録することによって、当該ＴＤＭＡがフルであることを示す。この場合、当該ＴＤＭＡ内に記録された（最後のセクタ内の）最終のＴＤＤＳ情報をＴＬＩクラスタ内の上記最新のＴＤＤＳフィールド８７内に最新のＴＤＤＳ情報とみなして転記する。したがって、当該ＴＤＭＡは、フルであり、該当ＴＤＭＡ内にこれ以上さらにＴＤＤＳ情報を記録することができないため、上記最終のＴＤＤＳ情報が上記フィールド８７内に記録される。
【００７１】
したがって、ＴＬＩをアップデートする時点によって、上記ＴＬＩ内に記録される最新のＴＤＤＳ情報が、フル状態になった当該ＴＤＭＡ内に最終的に記録されたＴＤＤＳ情報となるか、または現在使用中のＴＤＭＡ内に最初に記録されたＴＤＤＳ情報となることがある。
【００７２】
また他の例として、上記最新のＴＤＤＳ情報は、ＴＬＩクラスタ内に最大３２回転記することが可能である。また、ＴＬＩクラスタ内の残りのセクタが、用いられていない場合は、特定の値、例えば‘００h'に設定することも可能である。それぞれのＴＤＤＳ情報記録は、１セクタサイズに割り当てられるため、ＴＬＩクラスタ全体的には、同じＴＤＤＳ情報を３２回まで繰り返し記録することができる。図１０ｂはこれを示す図である。繰り返して説明すれば、上述したように、ＴＬＩクラスタの使用方式によって、上記最新のＴＤＤＳ情報が、対応するＴＤＭＡ内に記録された最初のＴＤＤＳ情報となるか、または最終のＴＤＤＳ情報となることがある。
【００７３】
図１０ｂの例によっても、ＴＬＩクラスタ内に最新のＴＤＤＳ情報を記録することによって当該ＴＤＭＡが現在使用中（または、フル）であるか否かを直接示すことができる。すなわち、これは、上記ＴＬＩクラスタが記録状態であるか否かを選択的に示すために、ＴＬＩクラスタ内に実際データ（例えば、ＴＤＤＳ情報）を記録し活用する一例になる。したがって、上記ＴＬＩクラスタを通じて単に現在使用中のＴＤＭＡを指示するだけでなく、対応するＴＤＭＡの最新のＴＤＤＳ情報を提供する。
【００７４】
図１０ｂに示すようなＴＬＩのコンテンツ構造は、上述した第１の実施例（図４ａ〜図４ｅ）において特に有用である。例えば、現在使用中のＴＤＭＡがＴＤＭＡ１であるとすれば、当該ＴＬＩクラスタは記録状態になり、この時、上記ＴＤＭＡ１内に記録された最初のＴＤＤＳ情報はＴＬＩクラスタ内に記録される。
【００７５】
図１１ａ〜図１３ｂは、本発明のまた他の実施例に係るディスク構造及びＴＬＩ構造を示す図である。本実施例では、スペア領域（ＳＡ）が拡張モード（ｅｘｐａｎｄｅｄ  ＳＡ  ｍｏｄｅ）に割り当てられる場合において、現在使用中のＴＤＭＡの位置を指示するだけでなく、拡張されたスペア領域内に存在するＴＤＭＡ内の領域／期間内での現在の使用期間／領域を指示する必要がある。特に、図１１ａ及び図１１ｂは、追記型単層ディスクでのＴＬＩ構造及び使用方法を示す図であり、図１２ａ及び図１３ｂは、追記型単層ディスクにおけるＴＬＩ構造及び使用方法を示す図である。これらの例において、ＴＬＩは‘フルインジケータ'としては用いられずに‘使用中インジケータ'として用いられる。
【００７６】
より詳しくは、図１１ａは、拡張されたスペア領域を有する追記型単層ディスクの構造及び順に用いられるＴＤＭＡ０／ＴＤＭＡ１を示す図である。上記拡張されたスペア領域またはスペア領域の拡張は、ユーザデータ領域の末端部分に位置するスペア領域（例えば、ＯＳＡ０）をディスク全体への最大記録用量の５０％まで割り当てることを意味し、これは、ディスクの初期化時に今後の活用を考慮して割り当てられる。ＯＳＡ０が拡張されることに伴い、上記ＯＳＡ０内に存在するＴＤＭＡ１も同様に拡張される。
【００７７】
上記ＴＤＭＡ１が特定のサイズに拡張される場合、ＴＤＭＡ１に対応する領域も拡張可能である。すなわち、拡張されたＴＤＭＡ１領域は、それぞれ図１１ａ及び図１１ｂに示すように“Ｍ１”、“Ｍ２”及び“Ｍ３”で示すことができる。この場合、上記ＴＬＩは、現在使用中のＴＤＭＡを指示する部分９０（“ＴＬＩ１”）と、拡張されたＴＤＭＡ１内の特定期間を指示する部分９１（“ＴＬＩ２”）とに分けられる。上記ＴＬＩ１は、１クラスタのサイズを有するのに対し、上記ＴＬＩ２は、２クラスタのサイズを有する。
【００７８】
例えば、スペア領域の拡張によって上記ＴＤＭＡ１がＴＤＭＡ０より非常に大きなサイズを有し、ＴＬＩとしてＴＬＩの部分９０だけが割り当てられているとすれば、上記ＴＤＭＡ１が現在使用中のＴＤＭＡになる場合、ＴＤＭＡ１の大きなサイズのために、ＴＤＭＡ１内の最終的な記録位置を見つけ出すのにＴＤＭＡ１の始めからスキャンする必要があり、アクセス時間が長くなるという問題がある。したがって、本発明の実施例によれば、上記拡張されたＴＤＭＡ１を複数の期間（または、領域）に分割し、当該期間／領域の使用が完了すれば、これを、ＴＬＩの部分９１でその状態を指示する。これにより、ディスクへのアクセス時間を画期的に軽減することができる。
【００７９】
例えば、図１１ａは、上記拡張されたＴＤＭＡ１を３つの同じサイズを有する期間／領域（Ｍ１、Ｍ２、Ｍ３）に分割すると仮定する。したがって、例えば、図１１ｂに示したようにＴＬＩ２（９１）の記録のために２つのクラスタ９１ａ、９１ｂを割り当てる。上記ＴＬＩ２（９１）のための２つのクラスタ９１ａ、９１ｂは、それぞれＴＤＭＡ１内のＭ３及びＭ２区間に対応し、当該対応領域（Ｍ３またはＭ２）が現在使用中の領域であるか否かを指示する。上記クラスタ９１ａ、９１ｂによる相違するＴＤＭＡの領域／期間内を指示する方法は、上述した図４ａ〜図６ｃ及び図１０ａ〜図１０ｂで記載したそれぞれのＴＤＭＡの状態を指示する方法と同じである。例えば、ＴＬＩ１（９０）が、ＴＤＭＡ１が現在使用中のＴＤＭＡであることを示す場合、Ｍ２−ＴＤＭＡ１インジケータ（９１ｂ）は、ＴＤＭＡ１内のＭ２区間が現在使用中のＴＤＭＡであるか否かを示す情報として活用され、Ｍ３−ＴＤＭＡ１インジケータ（９１ａ）は、ＴＤＭＡ１内のＭ３区間が現在使用中のＴＤＭＡであるか否かを示す情報として活用される。例として、ＴＬＩ１（９０）とＴＬＩ２（９１）の２つのクラスタ９１ａ、９１ｂが何れも記録状態であると検出される場合、これは、ＴＤＭＡ１内のＭ３区間が現在使用中のＴＤＭＡであることを意味する。
【００８０】
上記拡張されたＴＤＭＡ１が同じサイズの“ｍ”個に分割される場合（Ｍ１、Ｍ２、…、Ｍｍ）、ＴＬＩ２（９１）のためには（ｍ−１）個のクラスタが割り当てられる必要がある。上記ＴＬＩ２は、例えば、図１１ｂに示すように拡張されたＴＤＭＡ１内の領域に対する使用状態を示すものとして使われたが、上記ＴＬＩ２は、スペア領域の拡張に伴い拡張された如何なるＴＤＭＡにも適用可能である。
【００８１】
図１１ａ及び図１１ｂにおいて、ディスク上に記録されるＴＬＩの位置は、特定の管理領域（例えば、図７〜図９に示した領域の何れか）内であればよい。しかし、説明の便宜のために、例えば、上記ＴＬＩ（ＴＬＩ１＋ＴＬＩ２）を、図１１ａではＴＤＭＡ０の末端部分に位置するように示した。さらに説明の便宜のために、図１１ｂでは、ＴＬＩクラスタが本発明の第１の実施例（図４ａ〜図４ｅ）と同様に現在使用中のＴＤＭＡを指示する場合を示している。
【００８２】
図１２ａは、拡張されたスペア領域及びＴＤＭＡ０〜ＴＤＭＡ４を有する追記型二層光ディスクの構造を示す図である。二層光ディスク内には、二番目の記録層（Ｌａｙｅｒ１）のユーザデータ領域の末端に連なって存在するスペア領域は、内部スペア領域（ＩＳＡ１）になる。したがって、上記スペア領域（ＩＳＡ１）は、ディスク全体の最大記録用量の５０％まで拡張可能である。ＩＳＡ１が拡張されることに伴い、上記ＩＳＡ１内に存在するＴＤＭＡ４も同様に拡張される。また、ディスク上のまた他の可変的なスペア領域をＴＤＭＡとともに拡張することも可能である。
【００８３】
図１２ａに示すように、ＴＤＭＡ４が特定のサイズに拡張される場合、拡張されたＴＤＭＡ４領域を、同一のサイズの領域で特定の個数に分割することができる。上記期間／領域をそれぞれＮ１、Ｎ２、…、Ｎ５と定義した。したがって、上記ＴＤＭＡ０は、図１２ｂに示すようにＴＬＩを含む。上記ＴＬＩは、４つのクラスタ９３ａ〜９３ｄを利用して現在使用中のＴＤＭＡを指示する部分９３（“ＴＬＩ１”）と、４つのクラスタ９４ａ〜９４ｄを利用して拡張されたＴＤＭＡ４内の特定期間／領域を指示する部分９４（“ＴＬＩ２”）を含む。上記拡張されたＴＤＭＡ４が図１２ａ及び図１２ｂに示すように同一サイズの“ｎ”個の期間／領域に分割されれば、上記ＴＬＩ２（９４）は、（ｎ−１）個のクラスタが割り当てられる。
【００８４】
上記ＴＬＩ１（９３）を構成する４つのクラスタ９３ａ〜９３ｄは、それぞれＴＤＭＡ４〜ＴＤＭＡ１に対応し、上記ＴＤＭＡ４〜ＴＤＭＡ１使用中インジケータとして機能するか否かを指示する。また、ＴＬＩ２９４を構成する４つのクラスタ９４ａ〜９４ｄは、それぞれＴＤＭＡ４内のＮ５〜Ｎ２区間に対応し、上記Ｎ５〜Ｎ２（領域）が現在使用中であるか否かを指示する。上記クラスタ９３、９４を使用して異なるＴＤＭＡ領域／期間を指示する方法は、上述した図４ａ〜図６ｃ及び図１０ａ〜図１０ｂで記載したそれぞれのＴＤＭＡの状態を指示する方法と同じである。
【００８５】
図１２ａ及び図１２ｂに示すように、ディスク上に記録される上記ＴＬＩの位置は、特定の管理領域（例えば、図７〜図９に示した領域の何れか）内であればよい。しかし、説明の便宜のために、例えば、上記ＴＬＩ（ＴＬＩ１＋ＴＬＩ２）を、図１２ａではＴＤＭＡ０の末端に位置するように示した。さらに説明の便宜のために、図１２ｂでは、ＴＬＩクラスタが本発明の第１の実施例（図４ａ〜図４ｅ）と同様に現在使用中のＴＤＭＡを指示する場合を示している。
【００８６】
上記ＴＬＩ２（９４）は、例えば、図１２ｂに示すように拡張されたＴＤＭＡ４内の特定の領域に対する使用状態を示すものとして用いられたが、上記ＴＬＩ２は、スペア領域の拡張に伴って拡張された如何なるＴＤＭＡにも適用することができる。
【００８７】
図１３ａ及び図１３ｂは、図１２ａ及び図１２ｂ内のＴＬＩがどのように用いられるかに関する一例を示す図である。
【００８８】
図１３ａに示すように、ディスク内のＴＤＭＡ０、ＴＤＭＡ１、ＴＤＭＡ２及びＴＤＭＡ３の使用が完了し、現在、最後のＴＤＭＡ４内の特定期間／領域、例えばＮ３期間が使用中であると仮定する。
【００８９】
この場合、図１３ｂに示すように、上記ＴＤＭＡ０、ＴＤＭＡ１、ＴＤＭＡ２及びＴＤＭＡ３がフルになり、現在ＴＤＭＡ４が使用中であるため、ＴＬＩ１（９３）内の４つのクラスタ９３ａ〜９３ｄの何れもが、特定の実際データまたはダミーデータが記録された記録状態になる。また、上記ＴＤＭＡ４内のＮ１及びＮ２期間／領域もフルになったため、ＴＬＩ２（９４）内の三番目及び四番目のクラスタ９４ｃ、９４ｄも記録状態になり、結局、これは、ＴＤＭＡ４内のＮ３期間／領域が現在使用中であることを意味する。
【００９０】
図１４は、本発明の実施例に係るディスク初期化方法を示す図である。本方法は、上述した何れのＴＬＩ構造にも同一に適用される。
【００９１】
図１４に示すように、ディスクを初期化するとき（Ｓ１１９）、ユーザーまたはシステムは、ディスクのスペア領域のモードを決める（Ｓ１２０）。上記過程は、一般に知られている技術、例えば、ユーザー入力またはディスク内に記録されたモード信号／データに基づいて実現可能である。上記スペア領域モードが“ノーマル”モードである場合、上記ＴＬＩのサイズは、ディスク内に割り当てられたＴＤＭＡの数（例えば、‘ｘ'）より一つ少ない数（‘ｘ−１'）のクラスタに割り当てられるか（図４ａ〜図５ｃの場合）、または上記ＴＬＩのサイズは、ディスク内に割り当てられたＴＤＭＡの数（例えば、‘ｘ'）と同じ数（‘ｘ'）のクラスタに割り当てられる（図６ａ〜図６ｃの場合）（Ｓ１２１）。
【００９２】
上記段階（Ｓ１２０）においてスペア領域モードが“拡張”モードと決められた場合には、上記拡張されたスペア領域内に存在するＴＤＭＡのサイズも拡張され、拡張されたスペア領域は、同一サイズの期間／領域で特定の数（例えば、'ｙ'）に分割する。上記ＴＬＩ２のサイズは、上記分割された特定の数（‘ｙ'）より一つ少ない数（‘ｙ−１'）のクラスタに割り当てられる（Ｓ１２２）。この場合、類似して上記ＴＬＩ１のサイズは、ディスク内に割り当てられたＴＤＭＡの数（例えば、‘ｘ'）より一つ少ない数（‘ｘ−１'）のクラスタに割り当てられる（Ｓ１２３）。関連して、上記段階Ｓ１２２及びＳ１２３は、上述した図１１ａ〜図１３ｂに示すようなＴＬＩ構造に従って実現される。
【００９３】
図１４に示すような方法及び本発明に係る上述したまた他の方法は、如何なるディスク及びＴＬＩ構造内においても実現可能である。
【００９４】
図１５は、本発明の実施例に係る光記録再生装置を示す図である。上述した本発明の方法は、図１５に示す装置または別の好適な装置及びシステムによっても実現可能である。
【００９５】
記録再生装置は、光ディスクへの記録及び／または再生を行う記録再生部１０と、この記録再生部１０を制御する制御部２０とから構成される。制御部２０は、記録再生部１０から特定領域への記録または再生指令を送る。記録再生部１０は、制御部２０からの指令に従って特定領域への記録再生を行う。上記記録再生部１０は“光ドライブ”を使用することができる。
【００９６】
記録再生部１０は、コントロールユニット２０などの外部との通信を行うインターフェース部１２と、光ディスクにデータを直接記録したり再生したりするピックアップ１１と、ピックアップから再生信号を取り込んで所望の信号値に復元し、記録すべき信号を光ディスクに記録される信号に変調して送るデータプロセッサ１３と、光ディスクから正確に信号を取り出し、または光ディスクに信号を正確に記録するためにピックアップ１１を制御するサーボ１４と、管理情報を含む様々な情報及びデータを一時保存するメモリ１５と、上記記録再生部１０内の構成要素の制御を行うマイクロプロセッサ１６を含むことができる。
【００９７】
上記のような光記録再生装置における本発明の管理情報（ＴＬＩ）を用いたディスク再生方法について詳しく説明すれば、次のとおりである。
【００９８】
光ディスクがローディングされれば、記録再生部１０は、ローディングされた光ディスク内から記録された各種のディスク情報を獲得する。特に、ローディングされた光ディスクが追記型光ディスク、例えば、上述のＢＤ−ＷＯであれば、上記マイクロプロセッサ１６は、ディスク内の現在使用中のＴＤＭＡ内における最終的に記録された位置を取得するために、管理領域内の特定の位置（例えば、ＴＤＭＡ０の先頭部分）に正義された管理情報（ＴＬＩ）の記録状態を確認する。
【００９９】
ＴＬＩ領域にアクセスして現在使用中のＴＤＭＡの位置を取得した後は、取得したＴＤＭＡの始めからスキャンし、最終的に記録されたＴＤＭＳ情報を獲得する（または、上述したように、ＴＬＩからＴＤＤＳ情報を獲得することも可能である）。上記獲得されたＴＤＭＳ情報の一部は、制御部２０へ送り、制御部２０では送られたＴＤＭＳ情報を活用して再生指令を記録再生部１０へ送り、この結果、記録再生部１０による再生が行われる。
【０１００】
また、図１５の光記録再生装置における本発明の管理情報（ＴＬＩ）を記録する方法について詳しく説明すれば、次のとおりである。
【０１０１】
上記マイクロプロセッサ１６は、特定順に沿っての使用が決められた複数のＴＤＭＡ内にＴＤＭＳ情報を特定の使用順序に従って記録する。例えば、ＴＤＭＡ０から使用が始まって、当該ＴＤＭＡ０の使用が完了すれば、現在ＴＤＭＡ１が使用中であることを表示すべくＴＬＩ内の特定クラスタを記録状態に変更する。
【０１０２】
上記の動作は、ディスクがアイドル状態であるか、またはディスク内の記録が完了しディスクイジェクト状態であるとき、マイクロプロセッサ１６が現在使用中のＴＤＭＡの位置を確認し、該当するＴＬＩ内の特定クラスタを一括記録状態に変更することも可能である。
【０１０３】
以上、上述した本発明の好適な実施例について図示し説明したが、当業者であれば特許請求の範囲に開示された本発明の技術的思想とその技術的範囲及び均等の範囲内で様々な他の実施例への改良、変更、代替または付加などが可能であることは容易に理解できる。
【産業上の利用可能性】
【０１０４】
本発明に係る追記型光ディスクによれば、使用中のＴＤＭＡの位置へのアクセス時間が軽減できるため、ＴＤＭＡを活用した追記型光ディスクの使用効率を一層高めることができるという効果を奏する。また、最新のＴＤＤＳ情報をＴＬＩ内に記録することによって、ＴＤＭＡ内に記録された上記ＴＤＤＳ情報が損失した場合、ＴＬＩ内に記録してあるＴＤＤＳ情報にアクセスして活用することができる。
【図面の簡単な説明】
【０１０５】
【図１】従来の書き換え型光ディスク（ＢＤ−ＲＥ）の構造を示す図である。
【図２ａ】本発明の実施例として、追記型光ディスクの単層の構造及び二層の構造を示す図である。
【図２ｂ】本発明の実施例として、追記型光ディスクの単層の構造及び二層の構造を示す図である。
【図３】本発明の実施例として、追記型光ディスクの一時ディスク管理／欠陥領域（ＴＤＭＡ）内に記録される情報の例を示す図である。
【図４ａ】本発明の第１の実施例に係る、単層ディスク内に備えられるＴＤＭＡ位置インジケータ（ＴＬＩ：ＴＤＭＡ  ｌｏｃａｔｉｏｎ  ｉｎｄｉｃａｔｏｒ）の例を示す図である。
【図４ｂ】本発明の第１の実施例に係る、二層ディスク内に備えられるＴＤＭＡ位置インジケータ（ＴＬＩ）の例を示す図である。
【図４ｃ】本発明の第１の実施例に係る、二層ディスク内に備えられるＴＤＭＡ位置インジケータ（ＴＬＩ）の例を示す図である。
【図４ｄ】本発明の第１の実施例に係る、二層ディスク内に備えられるＴＤＭＡ位置インジケータ（ＴＬＩ）の例を示す図である。
【図４ｅ】本発明の第１の実施例に係る、二層ディスク内に備えられるＴＤＭＡ位置インジケータ（ＴＬＩ）の例を示す図である。
【図５ａ】本発明の第２の実施例に係る、単層ディスク内に備えられるＴＤＭＡ位置インジケータ（ＴＬＩ）の例を示す図である。
【図５ｂ】本発明の第２の実施例に係る、二層ディスク内に備えられるＴＤＭＡ位置インジケータ（ＴＬＩ）の例を示す図である。
【図５ｃ】本発明の第２の実施例に係る、二層ディスク内に備えられるＴＤＭＡ位置インジケータ（ＴＬＩ）の例を示す図である。
【図６ａ】本発明の第３の実施例に係る、単層ディスク内に備えられるＴＤＭＡ位置インジケータ（ＴＬＩ）の例を示す図である。
【図６ｂ】本発明の第３の実施例に係る、二層ディスク内に備えられるＴＤＭＡ位置インジケータ（ＴＬＩ）の例を示す図である。
【図６ｃ】本発明の第３の実施例に係る、二層ディスク内に備えられるＴＤＭＡ位置インジケータ（ＴＬＩ）の例を示す図である。
【図７】本発明の実施例に係る、単層及び二層追記型光ディスク内にＴＤＭＡ位置インジケータ（ＴＬＩ）が記録される多様な位置の例を示す図である。
【図８】本発明の実施例に係る、単層及び二層追記型光ディスク内にＴＤＭＡ位置インジケータ（ＴＬＩ）が記録される多様な位置の例を示す図である。
【図９】本発明の実施例に係る、単層及び二層追記型光ディスク内にＴＤＭＡ位置インジケータ（ＴＬＩ）が記録される多様な位置の例を示す図である。
【図１０ａ】本発明の実施例に係る、ＴＤＭＡ位置インジケータ（ＴＬＩ）内に記録される情報を示す図である。
【図１０ｂ】本発明の実施例に係る、ＴＤＭＡ位置インジケータ（ＴＬＩ）内に記録される情報を示す図である。
【図１１ａ】本発明の実施例に係る、拡張されたスペア領域を有する単層追記型光ディスクの構造及びＴＤＭＡ位置インジケータ（ＴＬＩ）領域を示す図である。
【図１１ｂ】本発明の実施例に係る、拡張されたスペア領域を有する単層追記型光ディスクの構造及びＴＤＭＡ位置インジケータ（ＴＬＩ）領域を示す図である。
【図１２ａ】本発明の実施例に係る、拡張されたスペア領域を有する二層追記型光ディスクの構造及びＴＤＭＡ位置インジケータ（ＴＬＩ）領域を示す図である。
【図１２ｂ】本発明の実施例に係る、拡張されたスペア領域を有する二層追記型光ディスクの構造及びＴＤＭＡ位置インジケータ（ＴＬＩ）領域を示す図である。
【図１３ａ】本発明の実施例に係る、拡張されたスペア領域を有する二層追記型光ディスクの構造及びＴＤＭＡ位置インジケータ（ＴＬＩ）領域を示す図である。
【図１３ｂ】本発明の実施例に係る、拡張されたスペア領域を有する二層追記型光ディスクの構造及びＴＤＭＡ位置インジケータ（ＴＬＩ）領域を示す図である。
【図１４】本発明のスペア領域割り当てモードによる初期化方法を示す図である。
【図１５】本発明の実施例に係る追記型光ディスクの記録再生装置を示す図である。
【図１】
2007501487.tif 000003
【図２ａ】
2007501487.tif 000004
【図２ｂ】
2007501487.tif 000005
【図３】
2007501487.tif 000006
【図４ａ】
2007501487.tif 000007
【図４ｂ】
2007501487.tif 000008
【図４ｃ】
2007501487.tif 000009
【図４ｄ】
2007501487.tif 000010
【図４ｅ】
2007501487.tif 000011
【図５ａ】
2007501487.tif 000012
【図５ｂ】
2007501487.tif 000013
【図５ｃ】
2007501487.tif 000014
【図６ａ】
2007501487.tif 000015
【図６ｂ】
2007501487.tif 000016
【図６ｃ】
2007501487.tif 000017
【図７】
2007501487.tif 000018
【図８】
2007501487.tif 000019
【図９】
2007501487.tif 000020
【図１０ａ】
2007501487.tif 000021
【図１０ｂ】
2007501487.tif 000022
【図１１ａ】
2007501487.tif 000023
【図１１ｂ】
2007501487.tif 000024
【図１２ａ】
2007501487.tif 000025
【図１２ｂ】
2007501487.tif 000026
【図１３ａ】
2007501487.tif 000027
【図１３ｂ】
2007501487.tif 000028
【図１４】
2007501487.tif 000029
【図１５】
2007501487.tif 000030
【国際調査報告】
2007501487.tif 000031
2007501487.tif 000032